(57)【特許請求の範囲】
【請求項１】
光源からの光を受光する受光部を有する回転基部と、この受光部からの光によって光輝する長手状の指示部とを備えた透光部材と、
背後に開口する第１の開口部を有し前記回転基部の周囲を覆う第１のカバー部と、前記指示部の前面を視認可能とする透視窓と前記透光部材の回転方向両側面を覆う一対の側壁部とこれら側壁部の間を背面側に開口する第２の開口部とを有し前記指示部を覆う長手状の第２のカバー部とを有するカバー部材と、
前記第１の開口部を覆う第１の遮蔽部と、前記第２の開口部を覆う第２の遮蔽部とを有する遮蔽部材と、を備えた発光指針において、
少なくとも前記第２の遮蔽部の両端部に前記各側壁部の背面側内側角部が嵌る段部を長手方向に沿って設け、
前記第２の遮蔽部の長手方向とは直交する方向の両端部が前記第２のカバー部における前記各側壁部の長手方向とは直交する方向の外壁面よりも内側に位置していることを特徴とする発光指針。
【発明の詳細な説明】
【技術分野】
【０００１】
本発明は、例えば車両用計器に用いられ、車両、船舶、農耕機械などの走行状態や運転状況などを指示する発光指針に関するものである。
【背景技術】
【０００２】
従来の発光指針としては、例えば特許文献１に記載のものが知られている。この発光指針は、
透光性部材からなる回転基部と指示部とを有する指針本体と、この指示部と回転基部とを連続的に覆う遮光性部材からなるカバー部材と、このカバー部の裏面を覆う遮蔽部材とから構成され、カバー部材は指示部に対応する前面に指示部の上表面を一直線上に露出させるスリットを有し、このスリットから発光する指示部を視認させる構成である。
【０００３】
遮蔽部材は、フック係合等の方法でカバー部の裏面側に収納固定され、カバー部の裏面を覆うことによって光漏れを抑制している。
【特許文献１】特開２０１０−２５５６７号公報
【発明の開示】
【発明が解決しようとする課題】
【０００４】
しかしながら、特許文献１記載の発光指針にあっては、指針本体の回転基部を覆う遮蔽部材箇所はカバー部材の狭持部にフック係合されるが、指針本体の指示部を覆う遮蔽部材箇所は、その横断面形状が板状に形成され、カバー部材に収納させるのみであるため、カバー部材と遮蔽部材との間に隙間が生じてしまい、その隙間から指示部からの光が漏れてハレーションの原因となる問題点があった。
【０００５】
本発明は、この様な点に鑑みなされたもので、カバー部材と遮蔽部材との間からの光漏れを低減できる発光指針を提供することを目的とする。
【課題を解決するための手段】
【０００６】
本発明は前記目的を達成するため、光源からの光を受光する受光部を有する回転基部と、この受光部からの光によって光輝する長手状の指示部とを備えた透光部材と、背後に開口する第１の開口部を有し前記回転基部の周囲を覆う第１のカバー部と、前記指示部の前面を視認可能とする透視窓と前記透光部材の回転方向両側面を覆う一対の側壁部とこれら側壁部の間を背面側に開口する第２の開口部とを有し前記指示部を覆う長手状の第２のカバー部とを有するカバー部材と、前記第１の開口部を覆う第１の遮蔽部と、前記第２の開口部を覆う第２の遮蔽部とを有する遮蔽部材と、を備えた発光指針において、少なくとも前記第２の遮蔽部の両端部に前記各側壁部の背面側内側角部が嵌る段部を長手方向に沿って設け、前記第２の遮蔽部の長手方向とは直交する方向の両端部が前記第２のカバー部における前記各側壁部の長手方向とは直交する方向の外壁面よりも内側に位置しているものである。
【０００７】
このように段部を通じて第２の遮蔽部と第２のカバー部とを組付けることによって、両部材の接触面積を大きくして光漏れを低減できる。
【０００９】
このように第２の遮蔽部の両端部を第２のカバー部の外壁面よりも内側に設定したことにより、第２の遮蔽部の両端部が見えにくくなり、指針の外観見映えを向上させることができる。
【発明の効果】
【００１０】
本発明によれば、カバー部材と遮蔽部材との間からの光漏れを低減できる発光指針を得ることができる。
【図面の簡単な説明】
【００１１】
【図１】本発明の一実施形態における発光指針の斜視図。
【図２】同上の断面図。
【図３】本発明の一実施形態における車両用計器装置の断面図。
【発明を実施するための最良の形態】
【００１２】
以下、添付図面に基づいて、例えば車両用計器装置に適用した本発明の実施例を説明する。図１から図３において、本実施形態による発光指針は、例えばステッピングモータからなる計器本体４の指針軸５に連結されて表示板７の指標部（図示せず）を指示するもので、透光部材１と、カバー部材２と、遮蔽部材３と、から主に構成されている。
【００１３】
透光部材１は、図２に示すように、光透過性の樹脂材料からなり、その裏面に例えば２色からなる箔がホットスタンプされた長手状の指示部１１と、指示部１１と連続して形成され、透光部材１の回動中心付近において遮蔽部材３に装着される回転基部１２とから構成される。
【００１４】
回転基部１２は、遮蔽部材３の後述する透光部３１４を透過した光源６からの光を回転基部１２に導くための受光部１２１と、受光部１２１から入射した光を指示部１１方向に反射させる反射部１２２とを備えている。
【００１５】
カバー部材２は、不透光性である黒色の樹脂材料からなり、第１のカバー部２１と第２のカバー部２２とから構成される。
【００１６】
第１のカバー部２１は、背後に開口する第１の開口部２１１を有し回転基部１２の周囲（前面及び側面）を覆うものである。
【００１７】
第２のカバー部２２は、指示部１１を覆うように長手状に形成され、指示部１１の前面を視認可能とする透視窓２２１と、透光部材１の回転方向両側面を覆う一対の側壁部２２２と、これら側壁部２２２の間を背面側に開口する第２の開口部２２３とを有している。
【００１８】
遮蔽部材３は、不透光性の樹脂材料からなり、第１の開口部２１１を覆う第１の遮蔽部３１と、第２の開口部２２３を覆う第２の遮蔽部３２とを有している。
【００１９】
第１の遮蔽部３１は、図１に示すように、計器本体４の指針軸５に装着されるボス部３１１と、指針軸５とは直行交する方向に延びる平面からなる台座部３１２と、金属からなる重りＡを配置するための重り配置部３１３と、ボス部３１１と重り配置部３１３との間に形成され、光源６からの光が重りＡ及び透光部材１の回転基部１２へ導かれるための透光部３１４とが設けられている。
【００２０】
第２の遮蔽部３２は、指示部１１に沿って長手状に延びており、その長手方向と直交する方向の両端部には、図３に示すように、第２のカバー部２２の各側壁部２２２の端部であって、側壁部２２２の背面内側に位置する角部２２４に対応する段部３２１がそれぞれ形成されている。
これら段部３２１は、指示部１１もしくは第２のカバー部２２の長手方向に延びており、各側壁部２２２の背面側内側角部が嵌って当接している。
【００２１】
また、第２の遮蔽部３２の長手方向とは直交する方向の両端部３２２が第２のカバー部２２における各側壁部２２２の長手方向とは直交する方向の外壁面２２５よりも寸法Ｓ分内側に位置している。
【００２２】
次に、本実施形態における指針の組付けを説明する。まず重りＡを遮蔽部材３の配置部３１３に配置し仮固定する。次にカバー部材２に透光部材１を収納する。透光部材１の収納は、第１，第２の開口部２１１，２２３を通じて回転基部１２と指示部１１とをカバー部材２内に収納し仮固定する。次に遮蔽部材３をカバー部材２内に収納して各開口部２１１，２２３を各遮蔽部３１，３２で塞ぐ。遮蔽部材３のカバー部材２に対する固定は、第２の遮蔽部３２の先端を第２のカバー部２２の先端背後に設けた引っ掛け部（図示しない）に引っ掛けて台座部３１２の図示しない固定部を第１のカバー部２１側壁内面に設けられたフック（図示せず）に係合することにより行われ、これにより、カバー部材２と遮蔽部材３との間に透光部材１が位置した状態で挟持され、発光指針の組付けが完了する。この組付け完了状態において  第２の遮蔽部３２の段部３２１には各側壁部２２２の背面側内側角部が嵌った状態となる。
【００２３】
次に、本実施形態における光の進行経路を説明する。光源６から出射し、開口部３１４を通過して受光部１２１より入射した光は、反射部１２２によって指示部１１方向に反射され、その反射された光が側壁部２２２によって更に反射され、乱反射を繰り返し、指示部１１を導光し、その一部の光が透視窓２２１から視認者側へ届くように照明される。
【００２４】
この様に、光源６からの光を受光する受光部１２１を有する回転基部１２と、この受光部１２１からの光によって光輝する長手状の指示部１１とを備えた透光部材１と、
背後に開口する第１の開口部２１１を有し回転基部１２の周囲を覆う第１のカバー部２１と、指示部１１の前面を視認可能とする透視窓２２１と透光部材１の回転方向両側面を覆う一対の側壁部２２２とこれら側壁部２２２の間を背面側に開口する第２の開口部２２３とを有し指示部１１を覆う長手状の第２のカバー部２２とを有するカバー部材２と、
第１の開口部２１１を覆う第１の遮蔽部３１と、第２の開口部２２３を覆う第２の遮蔽部３２とを有する遮蔽部材３と、を備えた発光指針において、
少なくとも第２の遮蔽部３２の両端部に各側壁部２２２の背面側内側角部２２４が嵌る段部３２１を長手方向に沿って設けたことにより、段部３２１を通じて第２の遮蔽部３２と第２のカバー部２２とを組付けることによって、両部材の接触面積を大きくして光漏れを低減できる。
【００２５】
また、第２の遮蔽部３２の長手方向とは直交する方向の両端部３２２が第２のカバー部２２における各側壁部２２２の長手方向とは直交する方向の外壁面２２５よりも内側に位置していることによって、第２の遮蔽部３２の両端部３２２を第２のカバー部２２の外壁面２２５よりも内側に設定するので、第２の遮蔽部３２の両端部３２２が見えにくくなり、指針の外観見映えを向上させることができる。
【００２６】
なお本実施形態では、遮蔽部材３を第１の遮蔽部３１と第２の遮蔽部３２を有するように一体形成したが、別々に形成してもよい。同様にカバー部材２も第１のカバー部２１と第２のカバー部２２を別々に形成してもよい。
【符号の説明】
【００２７】
１      透光部材
２      カバー部材
３      遮蔽部材
４      計器本体
５      指針軸
６      光源
７      表示板
１１    指示部
１２    回転基部
２１    第１のカバー部
２２    第２のカバー部
３１    第１の遮蔽部
３２    第２の遮蔽部
１２１  受光部
１２２  反射部
２１１  第１の開口部
２２１  透視窓
２２２  側壁部
２２３  第２の開口部
２２４  角部
２２５  外壁面
３１１  ボス部
３１２  台座部
３１３  重り配置部
３１４  透光部
３２１  段部
３２２  端部
Ａ      重り
【図１】
0005299408.tif 000002
【図２】
0005299408.tif 000003
【図３】
0005299408.tif 000004